(57)【要約】      （修正有）【課題】加熱された場合であっても、室内枠材と室外枠材とを連結する部材が溶融し難い断熱枠部材及び建具を提供する。【解決手段】室内側に配置される室内枠材２１１と室外側に配置される室外枠材２１２とが断熱材２４により連結された枠体と、前記断熱材２４と対向して設けられる加熱発泡材６と、前記加熱発泡材６の前記断熱材２４と反対側に設けられるカバー材７と、を有し、前記加熱発泡材６と前記カバー材７とは、前記室内枠材２１１と前記室外枠材２１２とに各々設けられた係合部２１１ｄ、２１２ｅに係合されて、前記室内枠材２１１と前記室外枠材２１２とに渡るように配置されて保持されている。【選択図】図２
2018080551.tif 000002
【特許請求の範囲】
【請求項１】
室内側に配置される室内枠材と室外側に配置される室外枠材とが断熱材により連結された枠体と、
前記断熱材と対向して設けられる加熱発泡材と、
前記加熱発泡材の前記断熱材と反対側に設けられるカバー材と、
を有し、
前記加熱発泡材と前記カバー材とは、前記室内枠材と前記室外枠材とに各々設けられた係合部に係合されて、前記室内枠材と前記室外枠材とに渡るように配置されて保持されていることを特徴とする断熱枠部材。
【請求項２】
請求項１に記載の断熱枠部材であって、
前記カバー材は、不燃材または準不燃材であることを特徴とする断熱枠部材。
【請求項３】
請求項１または請求項２に記載の断熱枠部材により形成されていることを特徴とする窓枠。
【請求項４】
請求項１または請求項２に記載の断熱枠部材により形成されていることを特徴とする框。
【請求項５】
請求項３に記載の窓枠と、
請求項４に記載の框を用いた障子と、
を有することを特徴とする建具。
【発明の詳細な説明】
【技術分野】
【０００１】
本発明は、室内枠材と室外枠材とが断熱材により連結されている断熱枠部材、窓枠、框及び建具に関する。
【背景技術】
【０００２】
室内枠材と室外枠材とが断熱材により連結されている断熱枠部材としては、例えば、縦枠と横枠が四方枠組みされた枠体と、枠体に開閉可能に固定されている障子とを備えた建具であって、縦枠及び横枠が、アルミニウムの形材でなり室外側部材と室内側部材とが断熱材でなるブリッジ材により連結されている断熱枠材でなる断熱性を備えた建具が知られている（例えば、特許文献１参照）。室内枠材と室外枠材とを連結しているブリッジ材は、樹脂などにより形成されているので、火災等により加熱されると溶融してしまう虞がある。このため、枠体には、障子が配置される側からブリッジ材を覆う板状の加熱発泡材が設けられている。
【先行技術文献】
【特許文献】
【０００３】
【特許文献１】特開２０１４−３４８６１号公報
【発明の概要】
【発明が解決しようとする課題】
【０００４】
上記建具の枠体には、障子が配置される側からブリッジ材を覆う板状の加熱発泡材が設けられているが、加熱発泡材の断熱材と反対側には、加熱発泡材を支える部材等が設けられていないため、加熱されて発泡した加熱発泡材がブリッジ材を覆うとは限らない。発泡した加熱発泡材がブリッジ材から離れてしまった場合には、ブリッジ材が溶融してしまう虞がある。
【０００５】
本発明は、かかる課題に鑑みてなされたものであり、その目的とするところは、加熱された場合であっても、室内枠材と室外枠材とを連結する部材が溶融し難い断熱枠部材、窓枠、框及び建具を提供することにある。
【課題を解決するための手段】
【０００６】
かかる目的を達成するために本発明の断熱枠部材は、室内側に配置される室内枠材と室外側に配置される室外枠材とが断熱材により連結された枠体と、前記断熱材と対向して設けられる加熱発泡材と、前記加熱発泡材の前記断熱材と反対側に設けられるカバー材と、を有し、前記加熱発泡材と前記カバー材とは、前記室内枠材と前記室外枠材とに各々設けられた係合部に係合されて、前記室内枠材と前記室外枠材とに渡るように配置されて保持されていることを特徴とする断熱枠部材である。
【０００７】
このような断熱枠部材によれば、室内枠材と室外枠材とを連結する断熱材と対向して設けられる加熱発泡材の、断熱材と反対側にカバー材が設けられているので、加熱されて発泡した加熱発泡材を、カバー材により断熱材側に留めておくことが可能である。このため、加熱された場合であっても、室内枠材と室外枠材とを連結する断熱材が溶融し難い断熱枠部材を提供することが可能である。
【０００８】
また、加熱発泡材とカバー材とは、室内枠材と室外枠材とに各々設けられた係合部に係合されて保持されているので、加熱発泡材とカバー材とをいずれも室内枠材と室外枠材とに係合するだけで保持させることが可能である。このため、例えば、加熱発泡材を備える為の部材を用いることなく容易に、かつ安価に断熱材が溶融し難い断熱枠部材を提供することが可能である。
【０００９】
かかる断熱枠部材であって、前記カバー材は、不燃材または準不燃材であることが望ましい。
このような断熱枠部材によれば、カバー材が不燃材または準不燃材なので、カバー材は加熱されたとしても燃えにくく、消失しないので、発泡した加熱発泡材をより確実に留めておくことが可能である。
【００１０】
また、上記断熱枠部材により形成されていることを特徴とする窓枠である。
このような窓枠によれば、加熱された場合であっても、室内枠材と室外枠材とを連結する断熱材が溶融し難い窓枠を提供することが可能である。
【００１１】
また、上記断熱枠部材により形成されていることを特徴とする框である。
このような框によれば、加熱された場合であっても、室内枠材と室外枠材とを連結する断熱材が溶融し難い框を提供することが可能である。
【００１２】
また、上記窓枠と、上記框を用いた障子と、を有することを特徴とする建具である。
このような建具によれば、加熱された場合であっても、室内枠材と室外枠材とを連結する断熱材が溶融し難い窓枠及び障子を備えた建具を提供することにある。
【発明の効果】
【００１３】
本発明によれば、加熱された場合であっても、室内枠材と室外枠材とを連結する部材が溶融し難い断熱枠部材、窓枠、框及び建具を提供することが可能である。
【図面の簡単な説明】
【００１４】
【図１】第１実施形態に係る窓枠を備えた建具を示す縦断面図である。
【図２】図１におけるＡ部の拡大図である。
【図３】窓枠の変形例を示す縦断面図である。
【図４】第２実施形態の建具の上框近傍を示す縦断面図である。
【図５】第２実施形態の建具の下框近傍を示す縦断面図である。
【図６】第２実施形態の建具の戸先框近傍を示す横断面図である。
【発明を実施するための形態】
【００１５】
以下、本発明の実施形態に係る断熱枠部材、窓枠、框及び建具について図面を参照して説明する。
第１実施形態の断熱枠部材は、例えば図１に示すように、矩形状に枠組みされた断熱枠部材としての窓枠２であって、窓枠２に案内されて移動する引違い障子をなす内障子３及び外障子４と、外障子４より室外側に設けられている網戸５と、を備えた建具１である。
【００１６】
以下の説明においては、建物に取り付けられている建具１を室外側から見たときに、上下となる方向を上下方向、左右となる方向を左右方向、奥行き方向を見込み方向として示す。建具１の各部位であっても、また、建具１をなす各部材が単体の状態であっても、取り付けられた状態にて上下方向、左右方向、見込み方向となる方向にて方向を特定して説明する。
【００１７】
窓枠２は、上枠２１及び下枠２２と左右配置される縦枠（不図示）とが接合されて矩形状をなす枠体２０と、枠体２０が備え後述する断熱材２４を覆う板状の加熱発泡材６と、加熱発泡材６とともに設けられる不燃材または準不燃材でなるカバー材７と、を有している。
上枠２１及び下枠２２には、各々長手方向に沿って設けられ、互いに対向する方向に突出されて、内障子３、外障子４、及び網戸５が案内されるレール２１ａ、２１ｂ、２１ｃ、２２ａ、２２ｂ、２２ｃが設けられている。
【００１８】
上枠２１は、アルミニウム製の押出成形材でなり、室内側に配置される室内枠材２１１と室外側に配置される室外枠材２１２とを有しており、室内枠材２１１と室外枠材２１２とは合成樹脂製の断熱材２４により連結されている。連結された室内枠材２１１と室外枠材２１２とは、見込み方向に間隔が空いており、室内枠材２１１と室外枠材２１２との間からは断熱材２４が上方及び下方に露出する。
【００１９】
図２に示すように、上枠２１の室内枠材２１１は、室外側の端に断熱材２４が設けられる内連結部２１１ａと、内連結部２１１ａから垂設された室内側上レール２１ａと、内連結部２１１ａから延出されて室内側に設けられ躯体に固定される内本体部２１１ｂと、を有している。
【００２０】
上枠２１の室外枠材２１２は、室内側の端に断熱材２４が設けられる外連結部２１２ａと、外連結部２１２ａから上方に延出されて躯体に固定される外固定部２１２ｂと、見込み方向において外連結部２１２ａの室外側に間隔を空けて垂設され室内側上レール２１ａと平行をなす室外側上レール２１ｂと、見込み方向において室外側上レール２１ｂの室外側に間隔を空けて垂設され室外側上レール２１ｂと平行をなす上網戸レール２１ｃと、外連結部２１２ａ、室外側上レール２１ｂ、及び、上網戸レール２１ｃの上端部を連結する連結上面部２１２ｃと、を有している。
【００２１】
断熱材２４にて連結される内連結部２１１ａと外連結部２１２ａとは、各々断熱材２４が設けられて一体に成形される断熱材保持部２１１ｃ、２１２ｄと、断熱材保持部２１１ｃ、２１２ｄの下側に設けられ、板状の加熱発泡材６と板状の不燃材または準不燃材でなるカバー材７とが係合される加熱発泡材係合部２１１ｄ、２１２ｅとを有している。
【００２２】
内連結部２１１ａに設けられた断熱材保持部２１１ｃは、室外側が開放されて室内側に窪み、上枠２１の長手方向に繋がった溝状をなしており、外連結部２１２ａに設けられた断熱材保持部２１２ｄは、室内側が開放されて室外側に窪み、上枠２１の長手方向に繋がった溝状をなしており、断熱材保持部２１１ｃ、２１２ｄは開放された側を互いに対向させて設けられている。
【００２３】
断熱材保持部２１１ｃ、２１２ｄの下に各々設けられた加熱発泡材係合部２１１ｄ、２１２ｅは、内連結部２１１ａ及び外連結部２１２ａから各々下方に垂設された内垂壁部２１１ｅ及び外垂壁部２１２ｆと、内垂壁部２１１ｅ及び外垂壁部２１２ｆの下端から各々互いに対向する側に延出された内係合延出部２１１ｆと外係合延出部２１２ｇとを有している。すなわち、加熱発泡材係合部２１１ｄ、２１２ｅは、断熱材保持部２１１ｃ、２１２ｄと同様に、開放された側が互いに対向するように設けられた溝状をなしている。
【００２４】
内垂壁部２１１ｅから延出された内係合延出部２１１ｆの先端と、外垂壁部２１２ｆから延出された外係合延出部２１２ｇの先端とは、見込み方向において間隔が空けられている。
【００２５】
加熱発泡材６とカバー材７とは、カバー材７の上に加熱発泡材６が重ねられた状態で、室内枠材２１１の加熱発泡材係合部２１１ｄと室外枠材２１２の加熱発泡材係合部２１２ｅとに架け渡されて、長手方向に沿って全長に渡って設けられている。すなわち、加熱発泡材６とカバー材７とは、見込み方向における両端部が内係合延出部２１１ｆと外係合延出部２１２ｇに係合されて上枠２１に保持されている。このため、見込み方向における内垂壁部２１１ｅと内係合延出部２１１ｆとの間隔は、保持する加熱発泡材６及びカバー材７の幅より僅かに広く設けられ、断熱材保持部２１１ｃと内係合延出部２１１ｆとの上下方向における間隔、及び、断熱材保持部２１２ｄと外係合延出部２１２ｇとの上下方向の間隔は、保持する加熱発泡材６とカバー材７とを重ねた厚みより僅かに広く設けられている。
【００２６】
加熱発泡材６とカバー材７とが、加熱発泡材係合部２１１ｄ、２１２ｅに係合されることにより、室内枠材２１１と室外枠材２１２との間から露出する断熱材２４の下面は、加熱発泡材６に覆われ、また、加熱発泡材６はカバー材７に覆われて室内からは視認不能となる。すなわち、カバー材７は、加熱発泡材６の、断熱材２４と反対側に設けられている。
【００２７】
また、室内枠材２１１と室外枠材２１２との間から露出する断熱材２４の上面側は、外固定部２１２ｂより室内側、すなわち外壁の内側に位置しているので、建物外に露出することはない。
【００２８】
第１実施形態の断熱枠部材としての窓枠２を備えた建具１によれば、室内枠材２１１と室外枠材２１２とを連結する断熱材２４と対向して設けられる加熱発泡材６の、断熱材２４と反対側にカバー材７が設けられているので、加熱されて発泡した加熱発泡材６を、カバー材７により断熱材２４側に留めておくことが可能である。このため、加熱された場合であっても、室内枠材２１１と室外枠材２１２とを連結する断熱材２４が溶融し難い窓枠２、及び、この窓枠２を備えた建具１を提供することが可能である。
【００２９】
また、加熱発泡材６とカバー材７とは、室内枠材２１１と室外枠材２１２とに各々設けられた加熱発泡材係合部２１１ｄ、２１２ｅに係合されて上枠２１に保持されているので、加熱発泡材６とカバー材７とをいずれも室内枠材２１１と室外枠材２１２とに係合するだけで保持させることが可能である。このため、例えば、加熱発泡材６を備える為の部材を別途用いることなく容易に、かつ安価に断熱材２４が溶融し難い窓枠２、及び、この窓枠２を備えた建具１を提供することが可能である。
【００３０】
また、カバー材７が不燃材または準不燃材なので、カバー材７が加熱されたとしても燃えにくく、消失することはない。このため、発泡した加熱発泡材６をより確実に留めておくことが可能である。
【００３１】
第１実施形態においては、加熱発泡材６とカバー材７とを重ねた状態で、室内枠材２１１の加熱発泡材係合部２１１ｄと室外枠材２１２の加熱発泡材係合部２１２ｅとに架け渡して保持する例について説明したが、これに限るものではなく、例えば、カバー材７に加熱発泡材６を接着剤や両面テープ等で貼り付けても構わない。また、図３に示すように、室内枠材２１１の加熱発泡材係合部２１１ｄと室外枠材２１２の加熱発泡材係合部２１２ｅとをそれぞれ上下に仕切る仕切り片２１１ｇ、２１２ｈを設けて上下２段とし、断熱材２４側となる上段に加熱発泡材６を保持し、下段にカバー材７を保持する構成としても構わない。
第１実施形態においては、上枠を例に挙げて説明したが、これに限るものではなく、例えば、下枠や縦枠であっても構わない。
【００３２】
次に第２実施形態として、断熱枠部材を、例えば図４〜図６に示すように、矩形状に枠組みされた框８に用いた引違い障子をなす内障子３ａ及び外障子４ａを備えた建具１ａの内障子３ａの上框８１を例に挙げて説明する。以下の説明においては、上框８１を例に挙げて、符号の先頭に８１を付して説明するが、上框８１と同一構成については、図５、図６にて、下框８２は符号の先頭に８２を付し、戸先框８３は符号の先頭に８３を付して示し、その説明については省略する。
【００３３】
框８は、上框８１、下框８２、戸先框８３及び召合せ框（不図示）が接合されて矩形状をなす枠体としての框本体８０と、框本体８０が備える断熱材２４を覆う板状の加熱発泡材６と、加熱発泡材６とともに設けられる不燃材または準不燃材でなるカバー材７と、を有している。
【００３４】
上框８１、下框８２及び戸先框８３はいずれも、アルミニウム製の押出成形材と合成樹脂製の押出成形部材とで一体に構成されて室内側に配置される室内框材８１１と、アルミニウム製の押出成形材でなり室外側に配置される室外框材８１２と、を有している。室内框材８１１は、アルミニウム製の室内アルミ框材８１１Ａが合成樹脂製の室内樹脂框材８１１Ｂの室外側に設けられており、室内アルミ框材８１１Ａと室外框材８１２とが見込み方向に対面する部位に各々設けられている断熱材保持部８１１ａ、８１２ａに保持された合成樹脂製の断熱材２４を介して連結されている。すなわち、室内框材８１１と室外框材８１２とが断熱材２４を介して連結されている。
【００３５】
連結された室内框材８１１と室外框材８１２とは、矩形状をなす框８の内周側にガラス３ｂの周端部をガスケット３ｃとともに収容する収容部３ｄを形成しており、収容部３ｄ内にはガラス３ｂ及びガスケット３ｃを保持する保持金具３ｅと、ガスケット３ｃと保持金具３ｅとの間に加熱発泡材６とが設けられている。
【００３６】
また、連結された室内框材８１１と室外框材８１２とは、見込み方向に間隔が空いており、矩形状をなす框８の外周は、断熱材２４を底として外周側に開放された溝部が全周にわたって設けられている。
【００３７】
断熱材２４にて連結される室内框材８１１と室外框材８１２とは、断熱材保持部８１１ａ、８１２ａの外周側に設けられ、板状の加熱発泡材６と板状のカバー材７とが係合される加熱発泡材係合部８１１ｂ、８１２ｂを有している。
【００３８】
室内框材８１１に設けられている加熱発泡材係合部８１１ｂは、室外側が開放されて室内側に窪み、上框８１、下框８２及び戸先框８３の各々の長手方向に繋がった溝状をなしており、室外框材８１２に設けられている加熱発泡材係合部８１２ｂは、室内側が開放されて室外側に窪み、上框８１、下框８２及び戸先框８３の各々の長手方向に繋がった溝状をなしており、加熱発泡材係合部８１１ｂ、８１２ｂは開放された側を互いに対向させて設けられている。
【００３９】
より具体的には、断熱材保持部８１１ａ、８１２ａの外周側に設けられた加熱発泡材係合部８１１ｂ、８１２ｂは、断熱材保持部８１１ａ、８１２ａと外周側に間隔を空けて室内アルミ框材８１１Ａと室外框材８１２とから各々互いに対向する側に突出された対向突出片８１１ｃ、８１２ｃを有している。すなわち、加熱発泡材係合部８１１ｂ、８１２ｂは、断熱材保持部８１１ａ、８１２ａと同様に、開放された側が互いに対向するように設けられた溝状をなしている。
【００４０】
室内アルミ框材８１１Ａから突出された対向突出片８１１ｃの先端と、室外框材８１２から突出された対向突出片８１２ｃの先端とは、見込み方向において間隔が空けられている。
【００４１】
加熱発泡材６とカバー材７とは、加熱発泡材６の外周側にカバー材７が重ねられた状態で、室内框材８１１の加熱発泡材係合部８１１ｂと室外框材８１２の加熱発泡材係合部８１２ｂとに架け渡されて、長手方向に沿って全長に渡って設けられている。すなわち、加熱発泡材６とカバー材７とは、見込み方向における両端部が室内框材８１１と室外框材８１２に係合されて上框８１、下框８２及び戸先框８３の各々に保持されている。このため、室内アルミ框材８１１Ａと室外框材８１２との間隔は、保持する加熱発泡材６及びカバー材７の幅より僅かに広く設けられ、断熱材保持部８１１ａ、８１２ａと対向突出片８１１ｃ、８１２ｃとの間隔は、保持する加熱発泡材６とカバー材７とを重ねた厚みより僅かに広く設けられている。
【００４２】
加熱発泡材６とカバー材７とが、加熱発泡材係合部８１１ｂ、８１２ｂに係合されることにより、室内框材８１１と室外框材８１２との間に位置する断熱材２４は、加熱発泡材６に覆われ、また、加熱発泡材６はカバー材７に覆われて外周側からは視認不能となる。すなわち、カバー材７は、加熱発泡材６の、断熱材２４と反対側に設けられている。
【００４３】
第２実施形態の断熱枠部材としての框８を備えた建具１ａによれば、室内框材８１１と室外框材８１２とを連結する断熱材２４と対向して設けられる加熱発泡材６の、断熱材２４と反対側にカバー材７が設けられているので、加熱されて発泡した加熱発泡材６を、カバー材７により断熱材２４側に留めておくことが可能である。このため、加熱された場合であっても、室内框材８１１と室外框材８１２とを連結する断熱材２４が溶融し難い框８、及び、この框８を備えた障子及び建具１を提供することが可能である。
【００４４】
また、加熱発泡材６とカバー材７とは、室内框材８１１と室外框材８１２とに各々設けられた加熱発泡材係合部８１１ｂ、８１２ｂに係合されて上框８１、下框８２及び戸先框８３に保持されているので、加熱発泡材６とカバー材７とをいずれも室内框材８１１と室外框材８１２とに係合するだけで保持させることが可能である。このため、例えば、加熱発泡材６を備える為の部材を別途用いることなく容易に、かつ安価に断熱材２４が溶融し難い框８、及び、この框８を備えた障子及び建具１を提供することが可能である。
【００４５】
また、カバー材７が不燃材または準不燃材なので、カバー材７が加熱されたとしても燃えにくく、消失することはない。このため、発泡した加熱発泡材６をより確実に留めておくことが可能である。
【００４６】
第２実施形態においては、加熱発泡材６とカバー材７とを重ねた状態で、室内框材８１１から突出された対向突出片８１１ｃと、室外框材８１２から突出された対向突出片８１２ｃとに架け渡して保持する例について説明したが、これに限るものではなく、第１実施形態と同様に、カバー材７に加熱発泡材６を接着剤や両面テープ等で貼り付けても構わない。また、室内框材８１１の加熱発泡材係合部８１１ｂと室外框材８１２の加熱発泡材係合部８１２ｂとをそれぞれ上下に仕切る仕切り片を設けて上下２段とし、断熱材２４側となる内周側に加熱発泡材６を保持し、外周側にカバー材７を保持する構成としても構わない。
【００４７】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  建具、１ａ  建具、２  窓枠、３  内障子、３ａ  内障子、４  外障子、
４ａ  外障子、６  加熱発泡材、７  カバー材、８  框、２０  枠体、２１  上枠、
２４  断熱材、８１  上框、８２  下框、８３  戸先框、２１１  室内枠材、
２１１ｄ  加熱発泡材係合部、２１２  室外枠材、２１２ｅ  加熱発泡材係合部、
８１１  室内框材、８１１ｂ  加熱発泡材係合部、８１２  室外框材、
８１２ｂ  加熱発泡材係合部、８２１  室内框材、８２１ｂ  加熱発泡材係合部、
８２２  室外框材、８２２ｂ  加熱発泡材係合部、８３１  室内框材、
８３１ｂ  加熱発泡材係合部、８３２  室外框材、８３２ｂ  加熱発泡材係合部 
【図１】
2018080551.tif 000003
【図２】
2018080551.tif 000004
【図３】
2018080551.tif 000005
【図４】
2018080551.tif 000006
【図５】
2018080551.tif 000007
【図６】
2018080551.tif 000008